(57)【要約】  【課題】  パネルや金具の破損を防止するＡＬＣパネル取付け構造および取付け金具を提供する。  【解決手段】  ＡＬＣパネルの小口面で建築物の基礎部に取付ける金具であって、鉄板を直角に折り曲げて断面がＬ字状の金具の先端をさらに直角に折り曲げられた最先端部を有し、最先端部が山切り状で形成されている。ＡＬＣパネルの取付け金具を使用して、基礎部に連設されたＡＬＣパネルの小口面で取付け固定する構造であり、小口面の適所に取付け金具の最先端部が食い込んでいる。【選択図】    図１
2005226365.tif 000002
【特許請求の範囲】
【請求項１】
ＡＬＣパネルの小口面で建築物の基礎部に取付ける金具であって、鉄板を直角に折り曲げて断面がＬ字状の金具の先端をさらに直角に折り曲げられた最先端部を有し、最先端部が山切り状で形成されていることを特徴とするＡＬＣパネルの取付け金具。
【請求項２】
請求項１記載のＡＬＣパネルの取付け金具において、該金具の最先端部が板状および棒状で形成されていることを特徴とするＡＬＣパネルの取付け金具。
【請求項３】
請求項１又は請求項２記載のＡＬＣパネルの取付け金具において、鉄板を直角に折り曲げて断面がＬ字状の金具の中心部がコ字状に折り曲げられて、通気層を形成することを特徴とするＡＬＣパネルの取付け金具。
【請求項４】
請求項１又は請求項２記載ＡＬＣパネルの取付け金具を使用して、基礎部に連設されたＡＬＣパネルの小口面で取付け固定する構造であり、小口面の適所に取付け金具の最先端部が食い込んでいることを特徴としているＡＬＣパネルの取付け構造。
【請求項５】
請求項３記載ＡＬＣパネルの取付け金具を使用して、該ＡＬＣパネルの取付け金具と基礎部に連設されたＡＬＣパネルの小口面で取付け固定する構造であり、ＡＬＣパネルとの隙間を用いて、通気層を形成するように、該パネル小口面の下面に請求項３記載の取付け金具の最先端部が食い込んでいることを特徴としている、ＡＬＣパネルの取付け構造。
【請求項６】
ＡＬＣパネルの小口面を建築物の基礎部に取付ける金具であって、一枚の鉄板を直角に折り曲げて断面Ｌ字状に加工され、先端がさらに直角に折り曲げられて最先端部が形成され、金具の最先端部が板状で形成されていることを特徴とする薄物パネルの取付け金具。
【請求項７】
請求項６記載の取付け金具に、ＡＬＣパネルの小口面に食い込させるため、前記取付け金具が切り込まれて形成された爪状の突起を有することを特徴とするＡＬＣパネルの取付け金具。
【請求項８】
請求項６又は７記載のＡＬＣパネルの取付け金具を使用して、該取付け金具は土台にビスで取付けられており、基礎部に連設されたＡＬＣパネルの小口面のシーリング溝に前記取付け金具の最先端部が挟み込まれ、該ＡＬＣパネルの小口面に爪状の突起が食い込んでいることを特徴とするＡＬＣパネルの取付け構造。
【発明の詳細な説明】
【技術分野】
【０００１】
この発明は、木造や軽量鉄骨造の基礎部に取付けられるＡＬＣ（軽量気泡コンクリート）薄板（パネル）の取付け金具およびその取付け構造に関し、また、通気層を設けるための取付け金具およびその取付け構造に関するものである。
【背景技術】
【０００２】
厚さ７５ｍｍ未満のＡＬＣ薄板（パネル）１（図１〜図４、図１０、図１１）は、軽量で、断熱性、耐火性、意匠性に優れており、また建築現場での切断や取付けが容易なので、木造（土台）や軽量鉄骨造の建築物の外壁に広く使用されている。
【０００３】
その取付け方法として、土台３に、室外側からビス４を７〜８ｍｍ打ち込みパネル１を固定する方法が一般的である。また一方で、パネル１の表面にビス４の跡を残さないような取付け金具を用いた方法も提案されている。
【０００４】
たとえば、特開２００２−２４２３４６号公報、特開２００２−２４２３４７号公報、特開２０００−０３４７９５号公報では、ビスで躯体と緊結するための基礎部と、パネルを小口面で固着するための爪部を有する金具によって取付ける方法が提案されている。
【０００５】
また、通気構造を採用する場合のＡＬＣパネルの取付け方法については、パネルの張り方に応じて縦胴縁もしくは横胴縁を柱や間柱に取付け、その間柱に、ＡＬＣパネルを、パネルの室外側からビスを７〜８ｍｍ打ち込みパネルを固定する。横胴縁の場合には通気層５（図３、図４参照）を上下端が外気に解放されたものとするため、横胴縁を取付ける場合には、通気機能を確保するため、胴縁を設けない箇所を所定のピッチで作る必要がある。
前記の方法に対して、特許文献の特開２０００−０１６８８０号公報に示す方法では、胴縁を設けず、パネルの室内側の面に溝加工を施したパネルを柱および間柱に、パネルの室外側からビスを７〜８ｍｍ打ち込みパネルを固定することによって、通気層５を確保する方法がある。
【０００６】
横胴縁を取付ける方法を採用する際には、胴縁設置作業が煩雑であることと、またそれによるコストアップが課題となっていた。他方、の特開２０００−０１６８８０号公報に示す方法によれば、胴縁設置作業を伴わないため、作業の煩雑さやコストアップは免れる。
【０００７】
しかし、ＡＬＣに施した溝が、上下方向で連続しなければ、外気に開放された空気層とはならないため、その上下の溝形状を合わせる作業が煩雑であるという問題点がある。
【０００８】
また、侵入した雨水および結露水を排水または蒸発させるために必要な通気層５を確保するため、ＡＬＣの裏面に施す溝加工の深さをパネルの耐久性確保の限界を超えた深さとする必要があり、パネルの耐久性を確保できないという問題点もある。
【０００９】
また、特開２００２−２４２３４７号には、パネルの躯体側板面に当接される基礎と、パネル方向に向けて延接され、パネル小口面間に介在される腕部と他方のパネル方向の小口面に打ち込まれる取付金具がある。
【００１０】
しかし、取付け金具の爪部だけだとＡＬＣパネルの小口面の面外方向に力が加わった場合に、面外方向の荷重を取付金具の爪部のみに当接するパネルの部分の強度を受け持つこととなり、パネルが破損する恐れがある。また、取付金具の爪部のみの強度で荷重を受けるため、爪部が変形して金具が破損する恐れもあった。
【特許文献１】特開２００２−２４２３４６号公報
【特許文献２】特開２００２−２４２３４７号公報
【特許文献３】特開２０００−０３４７９５号公報
【特許文献４】特開２０００−０１６８８０号公報
【発明の開示】
【発明が解決しようとする課題】
【００１１】
ビス止めによる方法および特開２００２−２４２３４７号および特開２００２−２４２３４７号の方法ともに、面内方向に力が加わった場合には、取付け部と基礎部が剛に接合されているため、面内方向の荷重をパネル自身の強度で受け持つこととなり、パネルが破損する恐れがある。
【００１２】
ビス止めによる方法および特開２００２−２４２３４６号および２００２−２４２３４７号の方法とともに、面外方向に力が加わった場合には、取付部の爪部のみがパネルに当接することから面外方向の加重をパネルの部分の強度で受け持つこととなりパネルが破損する恐れがある。また、取付金具の爪部のみの強度で荷重を受けるため、爪部が変形して金具が破損する恐れがある。
【００１３】
したがって、本発明の目的は、パネルや金具の破損を防止するＡＬＣパネル取付け構造および取付け金具を提供することにある。
【００１４】
また、本発明は、通気層を設ける場合には、胴縁材を用いずに、ＡＬＣに溝加工を施すことなく、通気層を有するＡＬＣパネル取付け構造および取付け金具を提供することにある。
【課題を解決するための手段】
【００１５】
本発明は、ビス４の跡が残らず、かつ面内方向の力に追従しパネルの破損を防ぐ性能を兼ね備えた、基礎部の取付け金具１０に関するものである。本発明では、性能を達成するため、パネル１を躯体に固定する取付け金具１０と溝加工を周囲に施したＡＬＣパネル１を用いて基礎部を構成する。基礎部に用いるＡＬＣパネル１は、下側となる１辺を除いた３辺の小口１ａに示すような断面の溝加工を有する。
【００１６】
さらに、金具の強度を確保するために、金具の基部において、間隔保持材が延接されていない端２辺や間隔保持材の上下または左右方向に屈曲した部分を除く各端辺に、補強部材が延接されていることが望ましい。
【００１７】
本発明は、ビス４の跡が残らず、かつ面内方向の荷重に対してパネルの破損と金具の破損を防ぐ性能を兼ね備えた、基礎部の取付け金具１２に関するものである。本発明では、性能を達成するため、ＡＬＣパネル１を躯体に固定する取付け金具１２と溝加工を周囲に施したＡＬＣパネル１を用いて基礎部を構成する。
【００１８】
さらに、取付け金具１２の強度を確保するために、前記取付け金具１２の固定板１２ｃに爪状の突起１２ｂを付けた事により金具の自重および面外方向において、ＡＬＣパネル１脱落を防ぐ効果がある。
【００１９】
取付け金具１２は、一枚の鉄板を直角に折り曲げて断面Ｌ字状に加工され、長さ１００ｍｍ、高さ３８ｍｍ、厚さ１．２ｍｍであり、固定板の中心に突起を設ける為に高さ１１ｍｍ幅６ｍｍの切り欠きを設けた。
【発明の効果】
【００２０】
以上、本発明により、ビス４の跡が残らず、ビス穴を充填する必要もなく、パネル１の意匠性がよく、かつ面内方向の力に追従しパネル１の破損を防ぐ性能を備えた外壁の施工が可能である。
【００２１】
また、胴縁材を用いずに、ＡＬＣに溝加工を施すこともなく、通気層４を有するＡＬＣパネル取付け構造を提供できる。
【発明を実施するための最良の形態】
【００２２】
本発明は、ＡＬＣパネルの小口面で建築物の基礎部に取付ける金具であって、鉄板を直角に折り曲げて断面がＬ字状の金具の先端をさらに直角に折り曲げられた最先端部を有し、最先端部が山切り状で形成されている。
【００２３】
ＡＬＣパネルの取付け金具を使用して、基礎部に連設されたＡＬＣパネルの小口面で取付け固定する構造であり、小口面の適所に取付け金具の最先端部が食い込んでいる。
【００２４】
ＡＬＣパネルの小口面を建築物の基礎部に取付ける金具であって、一枚の鉄板を直角に折り曲げて断面Ｌ字状に加工され、先端がさらに直角に折り曲げられて最先端部が形成され、金具の最先端部が板状で形成されている。
【００２５】
ＡＬＣパネルの取付け金具を使用して、該取付け金具は土台にビスで取付けられており、基礎部に連設されたＡＬＣパネルの小口面のシーリング溝に前記取付け金具の最先端部が挟み込まれ、該ＡＬＣパネルの小口面に爪状の突起が食い込んでいる。
【実施例１】
【００２６】
本発明はＡＬＣパネル１の取付け金具の実施例１〜３について、図面を用いて説明する。図１は、本発明の取付け構造を示す一部破断斜視図である。図２は、図１の縦断面図であり、図３は、本発明の取付け構造通気層を示す一部破断斜視図であり、図４は、図３の縦断面図であり、図５〜図８は、本発明の取付け金具を示している。ＡＬＣパネルの溝加工については図９に示す。図１０は本発明の取付け構造を示す一部破断斜視図である。図１１は、図１０の縦断面図であり、図１２は本発明の取付け金具を示している。
【００２７】
実施例１は、外装材であるＡＬＣパネル１の下側を除いた３辺に溝加工を施した場合について示している。この場合は、パネル下側に溝加工を施した面に、取付け金具１０の先端山切り状１０ａの位置は、パネル表面に近い位置でも良い。
【００２８】
以下に施工手順を示す。取付け金具１０を土台３および躯体にレベルに設置し、取付け金具１０の上部にＡＬＣパネル１を垂直に降ろすように設置し、その際、取付け金具１０に設けてあるビス４を前記取付け金具１１の穴を介して柱材にねじ込みビス４で固定する。パネルを建て込みながら、柱材が設置される位置に取付け金具１１がパネル１の小口に山切り状部を打ち込まれ、固定する。この作業により下段パネルの上側が固定される。
【実施例２】
【００２９】
また、通気層５の取付け方法も同様に取付け金具１１を土台３および躯体にレベルに設置し、取付け金具１１を柱材に前記金具に設けてある穴にビス４を通し、ビス４を取付け金具１１の穴を介して柱材にねじ込みビス４で固定する。パネルを建て込みながら、柱材が設置される位置に取付け金具１１がパネル１小口１ａに山切り状部を打ち込まれ、固定する。この作業により下段パネルの上側が固定される。
【００３０】
さらに、布基礎とパネルの小口に山切り状部が打ち込まれるように設置する。上記の作業を繰り返すことで、ＡＬＣパネルによる通気層４を有する外壁が施工される。
【実施例３】
【００３１】
図１０〜図１２を参照すると、実施例３では、取付け金具１２を土台４に前記取付け金具に設けた穴に２個所ビス４を固定する。その後パネル下側のシーリング溝部分１ｂに、取付け金具１２の最先端部１２ａが挟まれ固定される。前記取付け金具１２の固定板１２ｃに設けた爪状の突起１２ｂがＡＬＣパネル１の短辺小口に食い込みされ、バックアップ材７とシーリング材６の施工を行ない、ＡＬＣパネル１の下側が固定される。
【図面の簡単な説明】
【００３２】
【図１】本発明のＡＬＣパネルの取付け構造の実施例１を示す一部破断斜視図である。
【図２】図１の縦断面図である。
【図３】本発明のＡＬＣパネルの取付け構造の通気層の実施例２を示す一部破断斜視図である。
【図４】図３の縦断面図である。
【図５】本発明に使用する取付け金具の実施例１を示す斜視図である。
【図６】本発明に使用する取付け金具の実施例１を示す斜視図である。
【図７】本発明に使用する取付け金具の実施例１を示す斜視図である。
【図８】本発明に使用する取付け金具の実施例２を示す斜視図である。
【図９】パネル小口面形状の一実施例を示す斜視図である。
【図１０】本発明のＡＬＣパネルの取付け構造の実施例３を示す一部破断斜視図である。
【図１１】図１０の縦断面図である。
【図１２】本発明に使用する取付け金具の実施例３を示す斜視図である。
【符号の説明】
【００３３】
１     ＡＬＣパネル
１ａ   パネル小口面
２     布基礎
３     土台
４     ビス
５     通気層
６     シーリング材
７     バックアップ材
１０   本発明の取付け金具
１０ａ 山切り状部
１０ｂ 板状部
１０ｃ 棒状部
１１   本発明の通気層タイプの取付け金具
１１ａ  山切り状部および板状部および棒状部
１２    本発明の取付け金具
１２ａ  取付け金具の最先端部
１２ｂ  取付け金具の爪状の突起
１２ｃ  取付け金具の固定板
１２ｄ  取付け金具のビス穴
【図１】
2005226365.tif 000003
【図２】
2005226365.tif 000004
【図３】
2005226365.tif 000005
【図４】
2005226365.tif 000006
【図５】
2005226365.tif 000007
【図６】
2005226365.tif 000008
【図７】
2005226365.tif 000009
【図８】
2005226365.tif 000010
【図９】
2005226365.tif 000011
【図１０】
2005226365.tif 000012
【図１１】
2005226365.tif 000013
【図１２】
2005226365.tif 000014